(57)【要約】      （修正有）【課題】一対の内フラップと差し込みフラップ片を備える外フラップによって開口部を安定したロック状態で閉塞でき、且つロック状態をスムーズに開放できる箱を提供する。【解決手段】上端の開口部１７の一方の対向する２辺１８に連設する内フラップ１３を内側に折り曲げ、他方の対向する２辺の一方の辺１９ａに連設する外フラップ１５を折り重ね、差込みフラップ片１４を他方の辺１９ｂの内側に差し込んで開口部１７を閉塞する箱であって、差込み折曲げ線２０の両端部分に形成した切込み２１に、内フラップ１３の基端部分１３ａを係止することによるロック機構が設けられ、外フラップ１５の両端部分には、差込み折曲げ線２０よりも突出する突片２２が形成され、差込みフラップ片１４が差し込まれる他方の辺１９ｂには、突片２２と対応する両端部分に指掛け案内切り欠き２３が設けられていて、開口部１７を開放する際に突片２２を指掛け係止片として機能させる。【選択図】図１
2006290409.tif 000002
【特許請求の範囲】
【請求項１】
４角形の開口部の周縁の一方の対向する２辺に連設する内フラップを各々内側に折り曲げ、他方の対向する２辺のいずれか一方の辺に連設し差込みフラップ片を備える外フラップを前記内フラップに折り重ねると共に、前記差込みフラップ片を前記他方の対向する２辺のうちの外フラップを連設しない他方の辺と前記折り曲げた内フラップとの間である前記開口部の内側に差し込んで係止することにより前記開口部を閉塞する、シートを組み立てて構成する四角柱状の箱であって、
前記差込みフラップ片と前記外フラップとを連設する折曲げ線の両端部分に形成した切込みに、前記内フラップの基端部分を係止することで開口部の閉塞を維持するロック機構が設けられており、
前記折曲げ線が、前記切込みよりも前記外フラップを連設する一方の辺の側に配置され、前記外フラップの両端部分に前記折曲げ線より前記差込フラップの側に突出する突片が形成され、
前記差込みフラップ片が差し込まれる前記開口部の他方の辺には、少なくとも一方の突片と対応する部分に指掛け案内切り欠きが設けられている箱。
【請求項２】
前記差込みフラップ片が差し込まれる他方の辺の幅は１０〜２５ｍｍである請求項1記載の箱。
【請求項３】
前記指掛け案内切り欠きは、前記差込みフラップ片が差し込まれる他方の辺の両端部分に設けられる請求項1又は２に記載の箱。
【請求項４】
前記指掛け案内切り欠きは、前記差込みフラップ片が差し込まれる他方の辺の全長に亘って連続形成される請求項1又は２に記載の箱。
【請求項５】
前記シートがプラスチックで構成された請求項１〜４に記載の箱
【発明の詳細な説明】
【技術分野】
【０００１】
本発明は、４角形の開口部に連設するフラップ片により、開口部を閉塞する箱に関する。
【背景技術】
【０００２】
例えば、化粧品類、薬品類、菓子類、文房具類や、その他の日用品等を包装する包装箱として、6面体の箱が多用されている。箱を６面体形状に組み立てる場合、４方を囲む側壁部によって、上下の端面が開口する断面４角形の筒状体を組み立てた後、側壁部の上縁や下縁に連設した内フラップや外フラップを折り曲げて、４角形の開口部を閉塞する。
【０００３】
箱を６面体形状に組み立てる場合、厚紙やプラスチックなどの弾性を有している材料を用いると、折曲げ線に沿って折り曲げて立体形状に組み立てられた箱体の各面は湾曲しがちになる。そのような箱は、差込みフラップ片を単に開口部の内側に差し込んで底面部又は上面部を形成しても、材料の弾性によって差込みフラップ片が開口部の内側から抜け出やすくなる。このような差込みフラップ片の抜け出しを防止することを目的として、例えば差込みフラップ片の外フラップからの折曲げ線の両端部分に係止用の切込みを形成し、この切込みに、内フラップの基端部分を係止することによるロック機構が設けられる（例えば、特許文献１参照）。
【０００４】
６面体形状に組み立てられた箱は、その上面部を開閉して収容物の出し入れを行う必要があることから、開封を容易にすることを特に考慮したロック機構も開発されている（例えば、特許文献１参照）。
【特許文献１】実開平６−４２６３２号公報
【発明の開示】
【発明が解決しようとする課題】
【０００５】
特許文献１のロック機構は、差込みフラップ片の両端部分における、外フラップからの折曲げ線の近傍に、内フラップ片の側縁基端部分を係止するための内側に突出する突起を各々設けておき、差込みフラップ片を４角形の開口部の内側に差し込んで当該開口部を閉塞する際に、先行して折り曲げられた内フラップ片の側縁基端部分を、これの撓みによって突起を乗り越えさせつつ当該突起に係止させるものである。しかしながら、特許文献１のロック機構では、箱の開封は容易になる一方で、突起を高くして形成することが困難なため、係止力が劣ることになり、また材料であるプラスチックの弾性によって各面が湾曲しがちになる箱を、開口部を閉塞させた状態で安定してロックすることができない場合がある。さらに、例えば差込みフラップ片が差し込まれる開口部の辺の幅が１０〜２５ｍｍ程度の小型の箱の場合、内フラップ片の側縁基端部分を開封容易に係止するのに十分な幅の突起を設けることが困難である。
【０００６】
本発明は、４角形の開口部を一対の内フラップと、差し込みフラップ片を備える外フラップとによって確実且つ安定したロック状態で閉塞することができると共に、ロック状態をスムーズに開放して収容物の出し入れを容易に行うことを可能にし、且つ差込みフラップ片が差し込まれる辺の幅が小さい場合でも、開口部をスムーズに開閉できる箱を提供することを目的とする。
【課題を解決するための手段】
【０００７】
本発明は切り抜き形成されたシートを組み立てて構成する箱において、４角形の開口部の周縁の一方の対向する２辺に連設する内フラップを各々内側に折り曲げ、他方の対向する２辺のいずれか一方の辺に連設し差込みフラップ片を備える外フラップを前記内フラップに折り重ねると共に、前記差込みフラップ片を前記他方の対向する２辺のうちの外フラップを連設しない他方の辺と前記折り曲げた内フラップとの間である前記開口部の内側に差し込んで係止することにより前記開口部を閉塞し、前記差込みフラップ片と前記外フラップとを連設する折曲げ線の両端部分に形成した切込みに、前記内フラップの基端部分を係止することで開口部の閉塞を維持するロック機構が設けられており、前記折曲げ線が、前記切込みよりも前記外フラップを連設する一方の辺の側に配置され、前記外フラップの両端部分に前記折曲げ線より前記差込フラップの側に突出する突片が形成され、前記差込みフラップ片が差し込まれる前記開口部の他方の辺には、少なくとも一方の突片と対応する部分に指掛け案内切り欠きが設けられている箱を提供することにより、上記目的を達成したものである。
【発明の効果】
【０００８】
本発明の箱によれば、４角形の開口部を一対の内フラップと、差し込みフラップ片を備える外フラップとによって確実且つ安定したロック状態で閉塞することができると共に、ロック状態をスムーズに開放して収容物の出し入れを容易に行うことを可能にし、且つ差込みフラップ片が差し込まれる辺の幅が小さい場合でも、開口部をスムーズに開閉することができる。
【発明を実施するための最良の形態】
【０００９】
本発明の好ましい一実施形態である箱１０は、図１（ａ），（ｂ）及び図２に示すように、所定の形状に切り抜き形成されたプラスチックシート１１を折り曲げて立体形状に組み立てることにより、収容物として例えば細長い形状の化粧品類を収容する、小型で縦長の包装箱として用いられる。また、前方側壁部１２ａと、一対の側方側壁部１２ｂと、後方側壁部１２ｃとによって４方を囲まれる、断面４角形の筒状体における上面部及び底面部の４角形の開口部１７を、後述する一対の内フラップ１３と、差し込みフラップ片１４を備える外フラップ１５とにより閉塞して、６面体形状として例えば幅Ｂが１０〜２５ｍｍ、奥行きＬが１０〜２５ｍｍ、高さＨが５０〜１５０ｍｍ程度の大きさの、細長い縦長の直方体形状に形成される。
【００１０】
そして、本実施形態の箱１０は、プラスチックからなり、例えば上面部における４角形の開口部１７の周縁の一方の対向する２辺（側方側壁部１２ｂの上辺）１８に連設する内フラップ１３を各々内側に折り曲げ、他方の対向する２辺１９ａ、１９ｂのいずれか一方の辺（後方側壁部１２ｃの上辺）１９ａに連設する、差込みフラップ片１４を備える外フラップ１５を折り重ねると共に、差込みフラップ片１４を他方の対向する２辺１９ａ，１９ｂのうちの他方の辺（前方側壁部１２ａの上辺）１９ｂと折り曲げた内フラップ１３との間の開口部１７の内側に差し込んで係止することにより、開口部１７を閉塞するプラスチック製の包装箱である。
【００１１】
また、差込みフラップ片１４の外フラップ１５からの折曲げ線（差込み折曲げ線）２０の両端部分に形成した切込み２１に、内フラップ１３の基端部分１３ａを係止することによるロック機構が設けられている。さらに、折曲げ線２０は、切込み２１よりも外フラップ１５が連設する一方の辺１９ａの側に配置されることにより、外フラップ１５の両端部分には、折曲げ線２０よりも他方の辺１９ｂの側に突出する突片２２が形成され、差込みフラップ片１４が差し込まれる他方の辺１９ｂには、少なくとも一方の突片２２（本実施形態では両側の突片２２）と対応する一端部分（本実施形態では両端部分）に、指掛け案内切り欠き２３が設けられていて、開口部１７を開放する際に突片２２を指掛け係止片として機能させるようになっている。
【００１２】
本実施形態の箱１０を形成するためのプラスチックシート１１は、プラスチックとして例えばポリプロピレン、ポリエチレンテレフタレート、ポリ塩化ビニル、ポリスチレン等からなる、好ましくは０．３〜０．５ｍｍ、更に好ましくは０．３５〜０．４５ｍｍの厚さを備える薄板状のシート材料であって、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備えている。
【００１３】
また、プラスチックシート１１は、図２に示すように、箱１０を展開した形状となるように金型などを用いて切り抜いて形成されると共に、例えば半切れ線や罫線からなる折曲げ線２５，２６や、全切れ線からなる切込み２１等が適宜の位置に設けられていて、細長い６面体形状に組み立てる作業を容易に行うことができるようになっている。すなわち、例えば縦長の長方形の後方側壁部１２ｃの両側には、縦方向折曲げ線２５を介して縦長の長方形の側方側壁部１２ｂが各々連設しており、一方の側方側壁部１２ｂの側方には、縦方向折曲げ線２５を介して縦長の長方形の前方側壁部１２ａが連設している。また前方側壁部１２ａの側方には、縦方向折曲げ線２５を介して縦長帯状の接合片１６が連設している。さらに、各側方側壁部１２ｂの上方及び下方には、横方向折曲げ線２６を介して内フラップ１３が各々連設していると共に、後方側壁部１２ｃの上方、及び前方側壁部１２ａの下方には、横方向折曲げ線２６を介して差込みフラップ片１４を備える外フラップ１５が各々連設している。
【００１４】
さらに、本実施形態では、外フラップ１５と差込みフラップ片１４とを連設させる差込み折曲げ線２０は、横方向折曲げ線２６からの間隔Ｌ’が、箱１０の奥行きＬに相当する側方側壁部１２ｂの幅よりも例えば１．０〜２．０ｍｍ程度短くなるように配置されて、後方側壁部１２ｃ側に食い込んで設けられている。一方、差込み折曲げ線２０の両端部分に形成される切込み２１は、斜めに延設する切込み部分を介して差込み折曲げ線２０と接続すると共に、横方向折曲げ線２６からの間隔が、箱１０の奥行きＬに相当する長さとなるように配置されて、例えば３〜５ｍｍ程度の長さで切り込まれている。
【００１５】
これによって、差込み折曲げ線２０は、切込み２１よりも外フラップ１５が連設する一方の辺１９ａの側に配置されることになる。また、箱１０を組み立てて差込みフラップ片１４を外フラップ１５に対して略垂直に折り曲げた際に、外フラップ１５の両端部分には、折曲げ線２０よりも開口部１７の他方の辺１９ｂの側に例えば１．０〜２．０ｍｍ程度の突出長さで突出する突片２２が、好ましくは前方側壁部１２ａの延長面からから突出することなく各々形成されることになる。さらに、開口部１７を内フラップ１３及び外フラップ１５により閉塞してロックする際に（図１（ａ），（ｂ）参照）、切込み２１により外フラップ１５から切り離された差込みフラップ片１４の両端部分が内フラップ１３の基端部分１３ａの下方に各々スムーズに入り込むことが可能になり、十分な係止幅を確保して、より安定したロック状態を得ることが可能になる。
【００１６】
また、本実施形態では、内フラップ１３の基端部分１３ａは、その側縁が開口部１７の他方の辺１９ｂに近接して配置される幅広部分として設けられている。この基端部分１３ａは、内フラップ１３及び差込みフラップ片１４を弾性変形させつつ切込み２１に差し込まれるようにして係止され、切込み２１と共に強固且つ安定したロック機構を形成することになる。
【００１７】
さらに、本実施形態では、差込みフラップ片１４が差し込まれる開口部１７の他方の辺１９ｂの両端部分に設けられる指掛け案内切り欠き２３は、当該他方の辺１９ｂから下方に向けて前方側壁部１２ａの上縁部分を例えば４半円状に切り欠くことによって、上端部分の幅が、縦方向折曲げ線２５による側方側壁部１２ｂとの接続稜線２４から、差込み折曲げ線２０の両端部分に形成される切込み２１の長さと略同様の例えば３〜５ｍｍ程度の幅となるように設けられている。このように、切込み２１によって形成された突片２２が設けられる位置と対応させて、他方の辺１９ｂの両端部分に指掛け案内切り欠き２３が設けられていることにより、この指掛け案内切り欠き２３に案内させて、好ましくは前方側壁部１２ａの延長面からから突出することなく設けられた突片２２に指を掛け易くして、当該突片２２を、開口部１７を開放する際の指掛け係止片として効果的に機能させることが可能になる。
【００１８】
そして、上述のように形成されたプラスチックシート１１を用いて箱１０を組み立てるには、例えば、まず各縦方向折曲げ線２５を略９０度折り曲げ、一方の側方側壁部１２ｂの側縁部に沿って接合片１６を接着剤や熱融着等を介して接合することにより、前方側壁部１２ａと、一対の側方側壁部１２ｂと、後方側壁部１２ｃとによって４方を囲まれる、断面４角形の筒状体を形成する。しかる後に、かかる筒状体の底面部を、当該底面部における４角形の開口部（図示せず。）の周縁の一方の対向する２辺（側方側壁部１２ｂの下辺）に連設する内フラップ１３を各々内側に折り曲げ、他方の対向する２辺のいずれか一方の辺（前方側壁部１２ａの下辺）に連設する、差込みフラップ片１４を備える外フラップ１５を折り重ねる。さらに、差し込みフラップ片１４を開口部の内側に差し込んで開口部を閉塞すると共に、差込み折曲げ線２０の両端部分に形成した切込み２１に、内フラップ１３の基端部分１３ａを係止することによって、閉塞状態を強固且つ安定した状態でロックする。
【００１９】
箱１０の底面部を閉塞したら、上面部の開口部１７から内部に化粧品類等の収容物を収容すると共に、必要に応じて例えば説明書きや装飾を施した紙片等を内側面に沿って挿入配置した後に、底面部と同様にして上面部を閉塞する。すなわち、当該上面部における４角形の開口部１７の周縁の一方の対向する２辺（側方側壁部１２ｂの上辺）１８に連設する内フラップ１３を各々内側に折り曲げ、他方の対向する２辺１９ａ，１９ｂの一方である後方側壁部１２ｃの上辺１９ａに連設する、差し込みフラップ片１４を備える外フラップ１５を内フラップ１３上に折り重ねる。さらに、差し込みフラップ片１４を開口部１７の内側の前方側壁部１２ａと内フラップ１３の側縁との間に差し込んで開口部１７を閉塞すると共に、差込み折曲げ線２０の両端部分に形成した切込み２１に、内フラップ１３の基端部分１３ａを係止することによって、閉塞状態を強固且つ安定した状態でロックする。
【００２０】
そして、本実施形態の箱１０によれば、上述のように、差込み折曲げ線２０の両端部分に形成した切込み２１に内フラップ１３の基端部分１３ａを係止することによって、開口部１７の閉塞状態を強固且つ安定した状態でロックすることが可能になると共に、閉塞された上面部の開口部１７のロック状態をスムーズに開放して、収容物の出し入れを容易に行うことができる。すなわち、本実施形態によれば、差込み折曲げ線２０は、切込み２１よりも外フラップ１５が連設する一方の辺１９ａの側に配置されることにより、外フラップ１５の両端部分には、差込み折曲げ線２０よりも他方の辺１９ｂの側に突出する突片２２が形成され、且つ差込みフラップ片１４が差し込まれる他方の辺１９ｂには、突片２２と対応する両端部分に指掛け案内切り欠き２３が設けられていることにより、開口部１７を開放する際に突片２２を指掛け係止片として機能させることができるようになっている。
【００２１】
したがって、開口部１７の内側から差し込みフラップ片１４を引き上げ、内フラップ１３及び差込みフラップ片１４の弾性によってこれらを撓ませつつ、切込み２１と内フラップ１３の基端部分１３ａとの係止状態を解除する際に、例えば指を前方側壁部１２ａに沿って上方にスライド移動させて、少なくとも一方の指掛け案内切り欠き２３を介して少なくとも一方の突片２２に指先をスムーズに引っ掛けさせることにより、開口操作を容易に行うことが可能になる。また一方の突片２２のみに指先を引っ掛けて開口操作を行うことにより、ロック機構の片側にだけ開放のための応力を効率良く集中させることが可能になり、これによってロック状態の解除のための大きな力を要することなく、また差込み折曲げ線２０の両端部に設けた切込み２１が破れたり欠損するのを回避しつつ、容易に上面部の開口部１７を開封させて、収容物の出し入れを行うことが可能になる。
【００２２】
さらに、本実施形態によれば、差込みフラップ片１４が差し込まれる開口部１７の他方の辺１９ｂの両端部分に設けられる指掛け案内切り欠き２３は、縦方向折曲げ線２５による側方側壁部１２ｂとの接続稜線２４を切り込んで形成されている。これによって、差込み折曲げ線２０の両端部分の切込み２１に係止される内フラップ１３の基端部分１３ａが接続する、側方側壁部１２ｂの上端部は、前方側壁部１２ａと連続することなく指掛け案内切り欠き２３の存在によって片持ち状態となっていて、外側に広がるように変形し易くなっている。したがって、突片２２に指先を引っ掛けて差込みフラップ片１４を上方に引き上げる際に、側方側壁部１２ｂの上端と共に内フラップ１３の基端部分１３ａが外側に広がるように変位することによって、ロック状態をさらにスムーズに解除することが可能になる。
【００２３】
さらにまた、本実施形態によれば、差込みフラップ片１４が差し込まれる他方の辺の幅１９ｂは１０〜２５ｍｍ程度と狭小になっていて、差込みフラップ片１４と前方側壁部１２ａとの間に指を差し込むことは困難であり、またロック状態の解除のための専用の突起等を設けることは幅が狭すぎて困難であるが、開口部１７を閉塞するロック機構を構成する切込み２１によって形成される突片２２を、指掛け係止片としてそのまま利用することができるので、差込みフラップ片１４が差し込まれる辺１９ｂの幅が小さい場合でも、開口部１７のスムーズな開閉を容易に行うことが可能になる。
【００２４】
図３及び図４は、本発明の好ましい他の実施形態に係る箱１０’を示すものである。図３及び図４に示す箱１０’は、上記実施形態の箱１０’と略同様の構成を備える一方で、差込みフラップ片１４が差し込まれる開口部１７の他方の辺１９ｂに設けられる指掛け案内切り欠き２３’は、両端部分に設けられた４半円状のものではなく、他方の辺１９ｂから平行に例えば１．０〜２．０ｍｍ程度離れた切断線２７に沿って両側の縦方向折曲げ線２５の間を切り欠くことによって形成された、差込みフラップ片１４が差し込まれる他方の辺１９ｂの全長に亘って連続する帯状の切り欠きとなっている。
【００２５】
そして、図３及び図４に示す箱１０’によっても、差込み折曲げ線２０よりも他方の辺１９ｂの側に突出して外フラップ１５の両端部分に形成された突片２２の少なくとも一方に、指掛け案内切り欠き２３’を介して指先をスムーズに引っ掛けさせることによって、突片２２を指掛け係止片として機能させることが可能になり、これによって上記実施形態の箱１０と同様の作用効果が奏されることになる。
【００２６】
なお、本発明は上記各実施形態に限定されることなく種々の変更が可能である。例えば本発明の箱は、化粧品類に限定されることなく、薬品類、菓子類、文房具類や、その他の日用品等を包装する包装箱として用いることができる。箱に用いる材料が上記各実施形態の如きプラスチックであるプラスチック箱において本発明は最も効果を発揮するが、これに限定されるものではなく、紙箱でもよい。特に弾性の大きな厚紙を用いた箱で好ましく用いることができる。
【００２７】
また、細長い形状の収容物を収容する、フラップ片が差し込まれる辺の幅が小さな細長い形状の箱である必要は必ずしもなく、収容される収容物の大きさ、形状に適した、種々の形状の箱として用いることができる。さらに、フラップ片が差し込まれる辺の端部に設けられる指掛け案内切り欠きは、４半円状の他、３角形状、矩形状等、種々の形状に形成することができる。さらにまた、指掛け案内切り欠きは、両端部分に形成された突片に対応させて、両端部分に設ける必要は必ずしもなく、一方の端部にのみに設けて一方の突片に指先を引っ掛け易くすることもできる。
【００２８】
また、指掛け案内切り欠きの縁部は、前方側壁部と側方側壁部との接続稜線に沿って切り込まれている必要は必ずしもなく、接続稜線から前方側壁部側や側方側壁部側にずれた位置に切り込まれていてもよい。さらに、箱の上面部のみならず底面部も指掛け案内切り欠きを設けて、突片によって易開封可能な構造とすることもでき、箱は、矩形のみならず、台形、正方形等のその他の４角形の断面形状や開口部を備えるものであっても良い。
【図面の簡単な説明】
【００２９】
【図１】（ａ），（ｂ）は、本発明の好ましい一実施形態に係る箱の構成を説明する、上面部の開口部を閉塞する状況を示す要部斜視図である。
【図２】本発明の好ましい一実施形態に係る箱を構成するプラスチックシートの展開形状を示す平面図である。
【図３】本発明の好ましい他の実施形態に係る箱の構成を説明する、上面部の開口部を閉塞した状態の要部斜視図である。
【図４】本発明の好ましい他の実施形態に係る箱を構成するプラスチックシートの展開形状を示す平面図である。
【符号の説明】
【００３０】
１０，１０’  箱
１１  プラスチックシート
１２ａ  前方側壁部
１２ｂ  側方側壁部
１２ｃ  後方側壁部
１３  内フラップ
１３ａ  内フラップの基端部分
１４  差し込みフラップ片
１５  外フラップ
１６  接合片
１７  ４角形の開口部
１８  開口部の周縁の一方の対向する２辺
１９ａ  開口部の周縁の他方の対向する２辺の一方の辺
１９ｂ  開口部の周縁の他方の対向する２辺の他方の辺
２０  差込み折曲げ線（折曲げ線）
２１  切込み
２２  突片
２３，２３’  指掛け案内切り欠き
２４  前方側壁部と側方側壁部との接続稜線
２５  縦方向折曲げ線
２６  横方向折曲げ線
２７  他方の辺と平行な切断線
【図１】
2006290409.tif 000003
【図２】
2006290409.tif 000004
【図３】
2006290409.tif 000005
【図４】
2006290409.tif 000006